(57)【特許請求の範囲】
【請求項１】
複数の基地局間でリンクを確立する移動通信システムのリンク確立方法において、
第１の基地局は自局の位置情報と自局の無線サービスエリアを方位別に分割したセクタ毎の半径情報と自局の無線サービスエリアの方位別に設定された複数のＩＰアドレスを含むブロードキャストパケットを送信し、
第２の基地局は前記ブロードキャストパケットを受信し、該受信パケットに含まれる位置情報、セクタ毎の半径情報及び前記第１の基地局の無線サービスエリアの方位別に設定された複数のＩＰアドレスと、自局の位置情報、自局の無線サービスエリアを方位別に分割したセクタ毎の半径情報及び自局の無線サービスエリアの方位別に設定された複数のＩＰアドレスとに基づきセクタ間の隣接条件を判定し、
該隣接条件を満足した第１，第２の基地局間でそれぞれに相対向する方位のＩＰアドレスを使用してリンクを確立することを特徴とするリンク確立方法。
【請求項２】
複数の基地局間でリンクを確立する移動通信システムにおいて、
自局の位置情報と自局の無線サービスエリアを方位別に分割したセクタ毎の半径情報と自局の無線サービスエリアの方位別に設定された複数のＩＰアドレスを含むブロードキャストパケットを送信する第１の基地局と、
前記第１の基地局から受信したパケットに含まれる前記第１の基地局の位置情報、セクタ毎の半径情報及び前記第１の基地局の無線サービスエリアの方位別に設定された複数のＩＰアドレスと、自局の位置情報、自局の無線サービスエリアを方位別に分割したセクタ毎の半径情報及び自局の無線サービスエリアの方位別に設定された複数のＩＰアドレスとに基づきセクタ間の隣接条件を判定する第２の基地局とを備え、  
前記隣接条件を満足した第１，第２の基地局間でそれぞれに相対向する方位のＩＰアドレスを使用してリンクを確立することを特徴とする移動通信システム。
【請求項３】
前記第２の基地局は、第１，第２の基地局間を結ぶ線上で互いに隣接するセクタが所定以上の範囲で重なる場合は、隣接条件を満足すると判定することを特徴とする請求項２記載の移動通信システム。
【請求項４】
前記第２の基地局は、前記隣接条件を満足した場合は、自局の位置情報と自局のリンクの確立に使用するＩＰアドレスとを含む応答パケットを前記第１の基地局に返信することを特徴とする請求項３記載の移動通信システム。
【請求項５】
前記第２の基地局は、前記隣接条件を満足しなかった場合は、当該受信パケットを廃棄することを特徴とする請求項３記載の移動通信システム。
【発明の詳細な説明】
【技術分野】
【０００１】
本発明は移動通信システム及びリンク確立方法に関し、更に詳しくは、ＩＰネットワークに接続する複数の基地局間で３ＧＰＰ規格に基づくＸ２インタフェースのリンクを確立する移動通信システム及びリンク確立方法に関する。
【背景技術】
【０００２】
３ＧＰＰ(3rd Generation Partnership Project)において議論されているＬＴＥ（Long
Term Evolution）は、現在サービスされているＨＳＤＰＡ（High Speed Downlink Packet Access)や、今後サービスすることが検討されているＨＳＵＰＡ（High Speed Uplink Packet Access)を発展させた次の段階をなすものであり、Ｓ（Super）３Ｇ やＥＵＴＲＡ（Ｎ）（Evolved UMTS Terrestrial Radio Access (Network)）とも呼ばれる。その特徴は、パケットの伝送遅延を抑え、パケットを最適化した高速データシステムを提供することにある。
【０００３】
３ＧＰＰ−ＬＴＥに基づく無線通信システムでは、現行３Ｇシステムの無線制御装置（ＲＮＣ：Radio Network Controller）と基地局装置（ノードＢ）とからなる組み合わせに代えて、エンハンスト・ノードＢ（enhanced NodeB、以下、ｅＮＢと称す）を設けると共に、該ｅＮＢ間を接続する新たな通信インタフェース（以下、Ｘ２インタフェースと称す）が追加されている。追加の理由は、隣接ｅＮＢ間におけるハンドオーバ時に、Ｘ２インタフェースを介してユーザ（Ｕ−Ｐｌａｎｅ）信号や制御（Ｃ−Ｐｌａｎｅ）信号の転送を直接行う為である。
【０００４】
図８は従来技術を説明する図で、３ＧＰＰ規格に基づく移動通信システムの構成例を示している。図中、”Ｓ１ＩＦ”はＳ１インタフェース、”Ｘ２ＩＦ”はＸ２インタフェースを示している。このシステムは、移動端末（ＭＳ）と、基地局（ｅＮＢ）と、ＩＰ網１００を構成する図示していないルータと、アクセスゲートウェイ（ａＧＷ）等から構成されている。各ノード（ｅＮＢ，ルータ，ａＧＷ等）の間は有線のＩＰ回線で接続されており、本回線を用いてＵ−Ｐｌａｎｅ信号や、呼処理に伴う局間制御（Ｃ−Ｐｌａｎｅ）信号の搬送を行う。
【０００５】
３ＧＰＰ−ＬＴＥに基づくシステムでは、ＩＰ網（コアネット）とｅＮＢ間のインタフェースをＳ１インタフェースと定義し、またｅＮＢ間のインタフェースをＸ２インタフェースと定義している。Ｘ２インタフェースは、現行のシステムでは無かったインタフェースであり、ハンドオーバ時におけるＵ−Ｐｌａｎｅ信号やＣ−Ｐｌａｎｅ信号の転送を行う為に、３ＧＰＰ−ＬＴＥで新たに追加されたものである。その他、現行のシステムと異なる点は、新たにＧＰＳ（Global Positioning System）受信ユニット１１が各ｅＮＢに実装されている。係る構成により、ＩＰ網１００と各ｅＮＢとの間はＳ１インタフェースを介して接続されると共に、ハンドオーバを行う隣接ｅＮＢ間では、全てがＸ２インタフェースによるリンクを確立しておかなければならない。
【０００６】
従来は、ｅＮＢの増設または減設に伴って生じるＸ２インタフェース用ＩＰアドレスの設定および変更等は、保守者が手作業で行う必要があったため、ネットワーク設計及びｅＮＢの設置や保守作業が極めて繁雑であった。
【０００７】
なお、従来は、複数の基地局がマルチキャストパケットにより自局のシステム情報を通知し合うと共に、各基地局で自律分散的に報知情報を作成することで、無線制御装置（ＲＮＣ）の介在無しに、移動局に報知情報を報知可能な移動通信システムが知られている（
特許文献１）。
【特許文献１】特開２００２−２０９２７５号
【発明の開示】
【発明が解決しようとする課題】
【０００８】
しかし、上記従来技術は複数の基地局が既知のシステム情報を通知し合うものに過ぎず、各基地局が無線サービスエリアの配置を考慮してリンクを確立することに関しては何ら考慮されていない。
【０００９】
本発明は上記従来技術の問題点に鑑みなされたもので、その目的は、複数のｅＮＢ間でＸ２インタフェースによるリンクを自動的に確立することができる移動通信システム及びリンク確立方法を提供することにある。
【課題を解決するための手段】
【００１０】
本発明のリンク確立方法は、複数の基地局間でリンクを確立する移動通信システムのリンク確立方法において、第１の基地局は自局の位置情報と無線サービスエリアの半径情報とを含むブロードキャストパケットを送信し、第２の基地局は前記ブロードキャストパケットを受信し、該受信パケットに含まれる位置情報及び無線サービスエリアの半径情報と、自局の位置情報及び無線サービスエリアの半径情報とに基づき無線サービスエリア間の隣接条件を判定し、該隣接条件を満足した第１，第２の基地局間でリンクを確立するものである。
【００１１】
本発明によれば、第１及び第２の基地局の各位置情報と、無線サービスエリアの半径情報とを使用することにより、両無線サービスエリア間の隣接条件を的確に判定できる。また、該隣接条件を満足した第１，第２の基地局間でリンクを自動的に確立できる。
【００１２】
好ましくは、第１の基地局は自局の位置情報と自局の無線サービスエリアを方位別に分割したセクタ毎の半径情報と自局の無線サービスエリアの方位別に設定された複数のＩＰアドレスを含むブロードキャストパケットを送信し、第２の基地局は前記ブロードキャストパケットを受信し、該受信パケットに含まれる位置情報、セクタ毎の半径情報及び前記第１の基地局の無線サービスエリアの方位別に設定された複数のＩＰアドレスと、自局の位置情報、自局の無線サービスエリアを方位別に分割したセクタ毎の半径情報及び自局の無線サービスエリアの方位別に設定された複数のＩＰアドレスとに基づきセクタ間の隣接条件を判定し、該隣接条件を満足した第１，第２の基地局間でそれぞれに相対向する方位のＩＰアドレスを使用してリンクを確立するものである。
【００１３】
ところで、移動通信システムの無線サービスエリアは、複数の指向性アンテナやアレーアンテナを使用することにより、サイズの異なる複数セクタに分けてサービス運用可能である。或いは、非指向性アンテナを使用した場合でも、地形や電波伝搬環境の相違により、実際には、いびつな無線サービスエリアをサポートすることになる場合も少なくない。この点、本発明では、第１及び第２の基地局の各位置情報、各無線サービスエリアを方位別に分割したセクタ毎の半径情報及び各自局の無線サービスエリアの方位別に設定された複数のＩＰアドレスとに基づき各セクタ間の隣接条件を判定するので、隣接条件を満足するセクタとそれぞれのＩＰアドレスを的確に特定できると共に、該隣接条件を満足した第１，第２の基地局間でリンクを自動的に確立できる。また、ＩＰアドレスの割り付けが実際のネットワーク構成配置と整合し、その管理及び運用が容易である。
【００１４】
本発明の移動通信システムは、複数の基地局間でリンクを確立する移動通信システムにおいて、自局の位置情報と無線サービスエリアの半径情報とを含むブロードキャストパケットを送信する第１の基地局と、前記第１の基地局から受信したパケットに含まれる前記第１の基地局の位置情報及び無線サービスエリアの半径情報と、自局の位置情報及び無線サービスエリアの半径情報とに基づき無線サービスエリア間の隣接条件を判定する第２の基地局とを備え、前記隣接条件を満足した第１，第２の基地局間でリンクを確立するものである。
【００１５】
好ましくは、複数の基地局間でリンクを確立する移動通信システムにおいて、自局の位置情報と自局の無線サービスエリアを方位別に分割したセクタ毎の半径情報と自局の無線サービスエリアの方位別に設定された複数のＩＰアドレスを含むブロードキャストパケットを送信する第１の基地局と、前記第１の基地局から受信したパケットに含まれる前記第１の基地局の位置情報、セクタ毎の半径情報及び前記第１の基地局の無線サービスエリアの方位別に設定された複数のＩＰアドレスと、自局の位置情報、自局の無線サービスエリアを方位別に分割したセクタ毎の半径情報及び自局の無線サービスエリアの方位別に設定された複数のＩＰアドレスとに基づきセクタ間の隣接条件を判定する第２の基地局とを備え、前記隣接条件を満足した第１，第２の基地局間でそれぞれに相対向する方位のＩＰアドレスを使用してリンクを確立するものである。
【００１６】
また好ましくは、前記第２の基地局は、第１，第２の基地局間を結ぶ線上で互いに隣接するセクタが所定以上の範囲で重なる場合は、隣接条件を満足すると判定する。本発明によれば、２つの無線サービスエリアが様々なサービス半径のセクタで隣接している様な場合ても、ハンドオーバ条件を満足するような第２の基地局を容易かつ的確に特定できる。
【００１７】
また好ましくは、前記第２の基地局は、前記隣接条件を満足した場合は、自局の位置情報と自局のリンクの確立に使用するＩＰアドレスとを含む応答パケットを前記第１の基地局に返信する。従って、これを受けた第１の基地局では、第１，第２の基地局の各位置情報に基づき第２の基地局の方位を特定できると共に、該方位に割り当てた自局のＩＰアドレスを第２の基地局との接続用に適正に割り付けられる。
【００１８】
また好ましくは、前記第２の基地局は、前記隣接条件を満足しなかった場合は、当該受信パケットを廃棄する。従って、不要なブロードキャストパケットを能率よく処理できる。
【００２０】
また好ましくは、前記ブロードキャストパケットには自局の方位別に設定されたＩＰアドレスが含まれる。従って、ブロードキャストパケットを受信した第２の基地局では、第１，第２の基地局の位置情報から該第１の基地局の方位を特定できると共に、自局の当該方位に設定すべきＩＰアドレスを適正に選択できる。
【００２１】
また好ましくは、前記ブロードキャストパケットには自局のＩＰアドレスに対応して設定されたＭＡＣアドレスが含まれる。従って、ＭＡＣアドレスによるリンクも容易に確立できる。
【００２２】
また好ましくは、前記応答パケットには第２の基地局のＩＰアドレスに対応して設定されたＭＡＣアドレスが含まれる。従って、ＭＡＣアドレスによるリンクも容易に確立できる。
【発明の効果】
【００２３】
以上述べた如く本発明によれば、リンクを確立させるためのＩＰアドレスの設定又は変更等の保守作業が自動化されるため、ネットワーク設計やｅＮＢの設置作業が容易になる。
【発明を実施するための最良の形態】
【００２４】
以下、添付図面に従って本発明の実施の形態を詳細に説明する。なお、全図を通して同一符号は同一又は相当部分を示すものとする。
【００２５】
図１は実施の形態による移動通信システムのネットワーク構成を示す図である。このシステムは、基本的には上記図８で述べたものと同様に、移動端末（ＭＳ）と、基地局（ｅＮＢ）と、ＩＰ網１００を構成する図示していないルータと、アクセスゲートウェイ（ａＧＷ）とから構成されている。各ノード（ｅＮＢ、ルータ、ａＧＷ等）の間は有線（Ｓ１インタフェース）のＩＰ回線で接続されており、本回線を用いてユーザ（Ｕ−Ｐｌａｎｅ）信号や、呼処理に伴う局間制御（Ｃ−Ｐｌａｎｅ）信号の搬送を行う。また、各ｅＮＢ０，ｅＮＢ１はＸ２インタフェースによるリンクの自動確立を行うリンク確立部１２を備える。また、このＩＰ網１００にはＩＰアドレスの自動設定を行うＤＨＣＰ(Dynamic Host Configuration Protocol)サーバ２０が接続されている。
【００２６】
各ｅＮＢのＳ１インタフェース及びＸ２インタフェースで必要となるＩＰアドレスの設定は、オペレータが手作業で行ってもよいが、本実施の形態ではＤＨＣＰサーバ２０を利用する。これにより新設局ｅＮＢ０（即ち、ＤＨＣＰクライアント）を物理的にネットワークに接続するだけで、ＴＣＰ／ＩＰの通信に必要なＩＰアドレス等の設定（プラグ＆プレイ）が自動的に行われる。
【００２７】
このＩＰアドレス設定動作を新設ｅＮＢ０の例で具体的に説明する。予め、ＤＨＣＰサーバ２０には、ＤＨＣＰ処理で各ｅＮＢに割り当てる必要のあるＩＰアドレス、サブネットマスク、デフォルトルート等を設定しておく。このＤＨＣＰサーバ２０を利用する際には、まず、ｅＮＢ０（ＤＨＣＰクライアント）は送信元ＩＰアドレスを未定「０．０．０．０」とした「ＤＨＣＰ発見パケット」をＤＨＣＰサーバ２０に送信し、必要な数のＩＰアドレス（Ｘ２インタフェース用ＩＰアドレスを含む）やネットマスク等のネットワークの設定情報を要求する。これを受信したＤＨＣＰサーバ２０では「ＤＨＣＰ提供パケット」を送信してｅＮＢ０で使用しても良いネットワークの設定を通知する。
【００２８】
また、これを受信したｅＮＢ０では、送信元アドレスを未定「０．０．０．０」とした「ＤＨＣＰ要求パケット」をＤＨＣＰサーバ２０に送信し、前記通知された設定を使用したい旨を通知する。そして、これを受信したＤＨＣＰサーバ２０では「ＤＰＣＨ確認応答パケット」を返信し、ｅＮＢ０に対して前記使用したい設定の要求に対する許可を通知する。これにより、ネットワークの設定は完了し、ＴＣＰ／ＩＰによる通信が可能になる。また、該取得したＸ２インタフェース用ＩＰアドレスを使用することで、以下に述べる隣接ｅＮＢ間のリンクの確立も行えるようになる。
【００２９】
図２は実施の形態による隣接ｅＮＢ間リンク確立処理のシーケンス図であり、該図に従ってリンク確立動作の概要を説明する。ｅＮＢ０（新設局）は、隣接ｅＮＢのＸ２インタフェース用ＭＡＣアドレスやＩＰアドレスを知るために、後述の図３に示すブロードキャストパケットを全ｅＮＢに送信する。
【００３０】
このブロードキャストパケットを受信したｅＮＢ１，ｅＮＢ２では、後述の図５に示す隣接ｅＮＢ判定フローに従って隣接条件の計算及び判定処理を行う。この例ではそれぞれが隣接と判定したことにより図３に示す応答パケットをｅＮＢ０に返信する。一方、遠方のｅＮＢ１１では隣接と判定しなかったため、受信したブロードキャストパケットを廃棄し、応答パケットは返さない。ｅＮＢ０では、ｅＮＢ１とｅＮＢ２のみから応答パケットを受信したことにより、ｅＮＢ０（Ｘ２ＩＰ＝０ａ）とｅＮＢ１（Ｘ２ＩＰ＝１ｄ）、及びｅＮＢ０（Ｘ２ＩＰ＝０ｂ）とｅＮＢ２（Ｘ２ＩＰ＝２ｃ）との間でＸ２インタフェースのリンクを確立する。
【００３１】
図３は実施の形態によるパケットフォーマットを説明する図で、図３（ａ）に新設されたｅＮＢが送信するブロードキャストパケットのフォーマットを示す。データリンク層の宛先ＭＡＣアドレスにはブロードキャストアドレスを搭載する。このブロードキャストアドレスには、自局が属しているリンク内のブロードキャストに限定されるローカルブロードキャストアドレスと、異なるネットワークを指定してそのリンク内の全局にブロードキャストするダイレクトブロードキャストアドレスとがあり、本実施の形態では何れのブロードキャストアドレスも使用できる。一方、ネットワーク層の宛先ＩＰアドレスにはブロードキャストアドレスを搭載し、送信元ＩＰアドレスには自局（ｅＮＢ０）のＳ１インタフェース用ＩＰアドレスを搭載する。
【００３２】
更に、そのデータ部には、送信元ｅＮＢ０の位置情報（ＧＰＳ１１で取得）と、自局の無線サービスエリアの方位角（セクタ）別に設定された送信元Ｘ２インタフェース用ＩＰアドレス及び当該方位のセクタ半径とが含まれる。この例では６セクタ分のＸ２用ＩＰアドレスとセクタ半径の組が搭載されている。各局で方位角の基準を例えば北にとると決めておけば、北にセクタ１を割り付ける約束の下で、各周辺局では受信した各Ｘ２用ＩＰアドレスをそれぞれ正しい方位に割り付けられる。この場合に、周辺ｅＮＢでは受信したＸ２用ＩＰアドレスが合計６個であれば１セクタ当たりの角度を６０°と推定し、また受信したＸ２用ＩＰアドレスが合計９個であれば１セクタ当たりの角度を４０°と推定できる。
【００３３】
なお、上記実施の形態ではセクタ毎の半径を送信したが、これに限らない。無線サービスエリアが円形（通常）の場合には、単一のセル半径を通知することで、無線サービスエリアの有効サイズを適正に表現できる。セル半径は、送信電波の届く範囲（送信電力の設定）で決まり、通常は１セルに共通である。一方、複数の指向性アンテナやアレーアンテナを使用することで、電波の届く範囲をセクタ毎に設定する場合には、セクタ半径はセクタ毎の送信電力で決まる。
【００３４】
また、各ｅＮＢ間におけるＸ２インタフェースのリンク確立には、データリンク層のＭＡＣアドレスも必要となるため、上記送信元Ｘ２インタフェース用ＩＰアドレス毎に設定されたＭＡＣアドレスをブロードキャストパケットに搭載しても良い。
【００３５】
図３（ｂ）に各隣接ｅＮＢが送信する応答パケットのフォーマットを示す。宛先ＭＡＣアドレスには受信したブロードキャストパケットの送信元（ｅＮＢ０）ＭＡＣアドレスを搭載し、送信元ＭＡＣアドレスには自局（例えばｅＮＢ１）のＭＡＣアドレスを搭載する。宛先ＩＰアドレスには受信したブロードキャストパケットの送信元（ｅＮＢ０）ＩＰアドレスを搭載し、送信元ＩＰアドレスには自局（ｅＮＢ１）のＩＰアドレスを搭載する。更にそのデータ部には、自局（ｅＮＢ１）の位置情報（ＧＰＳ１１で取得）と、送信元Ｘ２用ＩＰアドレスを搭載する。
【００３６】
なお、この応答パケットには送信元（ｅＮＢ１）のセクタ半径（又はセル半径）を搭載しても良い。こうすれば、受信側（ｅＮＢ０）でも隣接条件の確認判定が行える。
【００３７】
また、ｅＮＢ０で２局ｅＮＢ０，ｅＮＢ１の位置情報を利用することで、該２局間を結ぶ線分を想定できる。さらに、該線分の方位を利用することで、この受信応答パケットに搭載されたｅＮＢ１のＸ２インタフェース用ＩＰアドレスを、自局（ｅＮＢ０）のどの方位角のＸ２インタフェース用ＩＰアドレスに対応させたら良いかも容易に判定できる。
【００３８】
又は、隣接ｅＮＢ１において、ｅＮＢ０からブロードキャストで知らされたＸ２インタフェース用ＩＰアドレスに自局（ｅＮＢ１）のＸ２インタフェース用ＩＰアドレスを組み合わせると共に、これらを対にして応答パケットに搭載しても良い。こうすれば、ｅＮＢ
０側でｅＮＢ１の方位を求めるまでもなく、自局（ｅＮＢ０）のＸ２インタフェース用ＩＰアドレスに隣接局（ｅＮＢ１）のＸ２インタフェース用ＩＰアドレスを対応付けられる。
【００３９】
また、この応答パケットに搭載した自局（ｅＮＢ１）のＸ２インタフェース用ＩＰアドレスにＭＡＣアドレスを対応付けて返信しても良い。
【００４０】
図４，図５は実施の形態によるｅＮＢ間リンク確立処理のフローチャート（１），（２）で、図４に新設ｅＮＢ０におけるリンク確立処理（１）を示す。ステップＳ１１ではＧＰＳ１１より自局の位置情報を取得し、ステップＳ１２ではＸ２インタフェースのリンク確立要求ブロードキャストパケットを送信する。ステップＳ１３では隣接ｅＮＢからの応答パケットの受信を待ち、応答パケットを受信すると、ステップＳ１４では受信パケットの送信元（例えばｅＮＢ１）の位置情報を利用して自局（ｅＮＢ０）と送信元（ｅＮＢ１）との間の方位、距離を計算する。この計算処理の一例については図６に従って後述する。
【００４１】
ステップＳ１５では隣接条件を満たすか否かを判定（確認）し、満たす場合はステップＳ１６に進み、挿入図（ａ）に示す自局のＸ２ＩＦ用テーブルに送信元（ｅＮＢ１）から送られたＸ２インタフェース用ＩＰアドレスと、これに対応するＭＡＣアドレスとを格納する。ステップＳ１７ではｅＮＢ０とｅＮＢ１間でＸ２インタフェースのリンクを確立する。また、上記ステップＳ１５の判別で隣接条件を満たさない場合は、ステップＳ１８で当該受信応答パケットを廃棄する。なお、通常は隣接ｅＮＢのみが応答パケットを送信するため、ステップＳ１８の処理は何らかの理由で紛れ込んだ応答パケット以外のパケットを廃棄する処理である。
【００４２】
挿入図（ａ）にＸ２インタフェース（ＩＦ）用テーブルを示す。自局（ｅＮＢ０）のサービス方位角（セクタ）１〜６別に各項目の登録欄が設けられており、自局のＸ２ＩＦ用ＩＰアドレス、同ＭＡＣアドレスに対応する欄に、隣接局から通知されたＸ２ＩＦ用ＩＰアドレス、同ＭＡＣアドレスを登録する。
【００４３】
図５に周辺ｅＮＢ１等におけるリンク確立処理（２）を示す。ステップＳ２１ではリンク確立要求のブロードキャストパケットの受信を待ち、ブロードキャストパケットを受信すると、ステップＳ２２では受信パケットより送信元ｅＮＢ０の位置情報を取得する。ステップＳ２３では自局（例えばｅＮＢ１）の位置情報（ＧＰＳ１１で取得）を取得し、ステップＳ２４では送信元ｅＮＢ０と、自局ｅＮＢ１間の方位及び距離を計算する。この計算処理の一例については図６に従って後述する。
【００４４】
ステップＳ２５では隣接条件を満たすか否かを判別し、満たす場合はステップＳ２６に進み、自局ｅＮＢ１の位置情報と、ｅＮＢ０の方位に割り当てたＸ２ＩＦ用ＩＰアドレスと、これに対応するＭＡＣアドレスとを搭載した応答パケットをｅＮＢ０に返信する。ステップＳ２７ではｅＮＢ０とｅＮＢ１間でＸ２インタフェースのリンクを確立する。また上記ステップＳ２５の判別で隣接条件を満たさない場合はステップＳ２８に進み、当該受信ブロードキャストパケットを廃棄する。
【００４５】
図６は実施の形態による隣接条件判定処理のイメージ図である。例えば、新設局ｅＮＢ０と周辺局ｅＮＢ２間で隣接条件を判別する場合は、まず、ｅＮＢ０の位置情報（ｘ０，ｙ０）とｅＮＢ２の位置情報（ｘ２，ｙ２）とに基づき、２点間の距離Ｌ＝√｛（ｘ２−ｘ０）２＋（ｙ２−ｙ０）２｝を求める。また、この線分Ｌから２局ｅＮＢ０，ｅＮＢ２間の方位を互いに知ることもできる。次に、ｅＮＢ０のセル半径Ｒ０と、ｅＮＢ２のセル半径Ｒ２とで得られる各扇形の領域が所定以上の範囲に渡ってオーバラップしているか否
かを判断する。具体的には、２局間を結ぶ直線が両半径Ｒ０とＲ２とによって切り取られる時に、得られた共通領域を横切る線分の長さが所定閾値を超える場合は隣接すると判定できる。このようなオーバラップ領域の条件はハンドオーバの要求条件から決めることが可能である。そして、この例ではｅＮＢ２は新設局ｅＮＢ０の隣接局と判定される。また、同様にしてｅＮＢ１，ｅＮＢ３等もｅＮＢ０の隣接局と判定される。しかし、遠隔のｅＮＢ１１については隣接条件を満たさないため、隣接外局と判定される。また、セクタ間の隣接条件も同様に判定できる。
【００４６】
なお、図６の例では２次元の位置情報を使用して隣接条件を説明したが、これに限らない。３次元の位置情報を使用して隣接条件を判定しても良い。こうすれば、より実際のネットワーク配置（地形等）に即したきめ細かい隣接判定が行える。
【００４７】
図７は実施の形態による隣接ｅＮＢ間リンク確立状態のイメージ図である。セルラ方式の下では、広い地域が６角形のセルＣ０〜Ｃ６及びＣ１１等により分割されると共に、各セルの中心部にｅＮＢ０〜ｅＮＢ６及びｅＮＢ１１が設置されている。これにより、広い地域を各セルの無線エリアで隙間なくサービスできる。また、各ｅＮＢ間は不図示のＳ１インタフェースで接続されると共に、ハンドオーバを行う隣接ｅＮＢ間では、全Ｘ２インタフェースのリンクが自動的に確立されている。この例では、新設局ｅＮＢ０の周囲を取り囲むように点在する周辺局ｅＮＢ１〜ｅＮＢ６が隣接局と判定され、これらの間ではＸ２インタフェースによるリンクを自動的確立している。例えば、ｅＮＢ０のＸ２ＩＰ＝０ａとｅＮＢ１のＸ２ＩＰ＝１ｄとがリンクを確立し、またｅＮＢ０のＸ２ＩＰ＝０ｂとｅＮＢ２のＸ２ＩＰ＝２ｅとがリンクを確立している。図示しないが、ＭＡＣアドレスについても同様である。更に、他の隣接ｅＮＢについても同様であり、図４（ａ）のＸ２ＩＦ用テーブルにはこの接続関係が登録されている。一方、遠隔の例えばｅＮＢ１１については隣接外局と判定された結果、Ｘ２インタフェースによるリンクは確立されていない。
【００４８】
なお、上記実施の形態では新設局ｅＮＢ０が図３（ａ）のブロードキャストパケットを送信したが、これに限らない。ｅＮＢ０を取り囲む周辺局のＩＰアドレスが分かっている場合には、これらに宛てたマルチキャストパケットを送信しても良い。
【００４９】
また、上記実施の形態では広いサービス地域を６角形のセルに分割して説明したが、これに限らない。セル形状としては任意多角形を適用できる。
【００５０】
また、上記本発明に好適なる実施の形態を述べたが、本発明思想を逸脱しない範囲内で各部の構成、制御、処理及びこれらの組合せの様々な変更が行えることは言うまでも無い。
【００５１】
（付記１）  複数の基地局間でリンクを確立する移動通信システムのリンク確立方法において、第１の基地局は自局の位置情報と無線サービスエリアの半径情報とを含むブロードキャストパケットを送信し、第２の基地局は前記ブロードキャストパケットを受信し、該受信パケットに含まれる位置情報及び無線サービスエリアの半径情報と、自局の位置情報及び無線サービスエリアの半径情報とに基づき無線サービスエリア間の隣接条件を判定し、該隣接条件を満足した第１，第２の基地局間でリンクを確立することを特徴とするリンク確立方法。
【００５２】
（付記２）  複数の基地局間でリンクを確立する移動通信システムのリンク確立方法において、第１の基地局は自局の位置情報と自局の無線サービスエリアを方位別に分割したセクタ毎の半径情報とを含むブロードキャストパケットを送信し、第２の基地局は前記ブロードキャストパケットを受信し、該受信パケットに含まれる位置情報及びセクタ毎の半径情報と、自局の位置情報及び自局の無線サービスエリアを方位別に分割したセクタ毎の
半径情報とに基づきセクタ間の隣接条件を判定し、該隣接条件を満足した第１，第２の基地局間でリンクを確立することを特徴とするリンク確立方法。
【００５３】
（付記３）  複数の基地局間でリンクを確立する移動通信システムにおいて、自局の位置情報と無線サービスエリアの半径情報とを含むブロードキャストパケットを送信する第１の基地局と、前記第１の基地局から受信したパケットに含まれる前記第１の基地局の位置情報及び無線サービスエリアの半径情報と、自局の位置情報及び無線サービスエリアの半径情報とに基づき無線サービスエリア間の隣接条件を判定する第２の基地局とを備え、前記隣接条件を満足した第１，第２の基地局間でリンクを確立することを特徴とする移動通信システム。
【００５４】
（付記４）  複数の基地局間でリンクを確立する移動通信システムにおいて、自局の位置情報と自局の無線サービスエリアを方位別に分割したセクタ毎の半径情報とを含むブロードキャストパケットを送信する第１の基地局と、前記第１の基地局から受信したパケットに含まれる前記第１の基地局の位置情報及びセクタ毎の半径情報と、自局の位置情報及び自局の無線サービスエリアを方位別に分割したセクタ毎の半径情報とに基づきセクタ間の隣接条件を判定する第２の基地局とを備え、前記隣接条件を満足した第１，第２の基地局間でリンクを確立することを特徴とする移動通信システム。
【００５５】
（付記５）  前記第２の基地局は、第１，第２の基地局間を結ぶ線上で互いに隣接するセクタが所定以上の範囲で重なる場合は、隣接条件を満足すると判定することを特徴とする付記３または４記載の移動通信システム。
【００５６】
（付記６）  前記第２の基地局は、前記隣接条件を満足した場合は、自局の位置情報と自局のリンクの確立に使用するＩＰアドレスとを含む応答パケットを前記第１の基地局に返信することを特徴とする付記５記載の移動通信システム。
【００５７】
（付記７）  前記第２の基地局は、前記隣接条件を満足しなかった場合は、当該受信パケットを廃棄することを特徴とする付記５記載の移動通信システム。
【００５８】
（付記８）  前記第１，第２の基地局は、自局の無線サービスエリアの方位別に設定された複数のＩＰアドレスを有し、該第１，第２の基地局は、それぞれに相対向する方位のＩＰアドレスを使用してリンクを確立することを特徴とする付記３または４記載の移動通信システム。
【００５９】
（付記９）  前記ブロードキャストパケットには自局の方位別に設定されたＩＰアドレスが含まれることを特徴とする付記３又は４記載の移動通信システム。
【００６０】
（付記１０）  前記ブロードキャストパケットには自局のＩＰアドレスに対応して設定されたＭＡＣアドレスが含まれることを特徴とする付記３または４記載の移動通信システム。
【００６１】
（付記１１）  前記応答パケットには第２の基地局のＩＰアドレスに対応して設定されたＭＡＣアドレスが含まれることを特徴とする付記６記載の移動通信システム。
【図面の簡単な説明】
【００６２】
【図１】実施の形態による移動通信システムのネットワーク構成を示す図である。
【図２】実施の形態による隣接ｅＮＢ間リンク確立処理のシーケンス図である。
【図３】実施の形態によるパケットフォーマットを説明する図である。
【図４】実施の形態によるｅＮＢ間リンク確立処理のフローチャート（１）である。
【図５】実施の形態によるｅＮＢ間リンク確立処理のフローチャート（２）である。
【図６】実施の形態による隣接条件判定処理のイメージ図である。
【図７】実施の形態による隣接ｅＮＢ間リンク確立状態のイメージ図である。
【図８】従来技術を説明する図である。
【符号の説明】
【００６３】
ａＧＷ  アクセスゲートウェイ
ｅＮＢ  エンハンスト・ノードＢ
ＭＳ  移動端末
１１  ＧＰＳ（Global Positioning System）受信ユニット
１２  リンク確立部
２０  ＤＨＣＰサーバ
１００  ＩＰ網
【図１】
0004998133.tif 000002
【図２】
0004998133.tif 000003
【図３】
0004998133.tif 000004
【図４】
0004998133.tif 000005
【図５】
0004998133.tif 000006
【図６】
0004998133.tif 000007
【図７】
0004998133.tif 000008
【図８】
0004998133.tif 000009